(57)【要約】【課題】表表紙のデザインを交換可能であり、ノートブックを立てて置くことができて、フォトフレームとしても機能するブックカバーを提供すること。【解決手段】ノートブックの外側を覆って被着され、表表紙１、裏表紙２、及び、表表紙１と裏表紙２を連結する連結面３を含み、表表紙１が透明片体を含み、かつ透明片体の後方に収容槽１２が形成され、収容槽１２の側縁に挿入口が設けられ、裏表紙２に、起倒自在で、かつ挿入口に挿入可能な支持部２２が設けられ、支持部２２を起こして挿入口に挿入することにより、ノートブックを立てることができる。【選択図】図１
0003194313.tif 000002
【実用新案登録請求の範囲】
【請求項１】
ノートブックの外側を覆って被着され、表表紙、裏表紙、及び、前記表表紙と裏表紙を連結する連結面を含み、前記表表紙が透明片体を含み、かつ前記透明片体の後方に収容槽が形成され、前記収容槽の側縁に挿入口が設けられ、前記裏表紙に、起倒自在で、かつ前記挿入口に挿入可能な支持部が設けられ、前記支持部を起こして前記挿入口に挿入することにより、ノートブックを立てることができることを特徴とする、ブックカバー。
【請求項２】
前記裏表紙内面の連結面近くの位置にノートブックを挿入するための挿入槽が形成されたことを特徴とする、請求項１に記載のブックカバー。
【請求項３】
前記表表紙、前記裏表紙、前記連結面の間を相互に折り曲げて、ノートブックを被覆可能とすることを特徴とする、請求項１に記載のブックカバー。
【請求項４】
前記収容槽は前記連結面の方向に向けて開口しており、前記収容槽の他面は封鎖されていることを特徴とする、請求項１に記載のブックカバー。
【請求項５】
前記収容槽の外側に、切符やチケット等の小さい紙片を収容可能なポケット部が設けられたことを特徴とする、請求項１に記載のブックカバー。
【請求項６】
前記支持部の前端を延伸して折り曲げ可能な插入部が設けられ、前記插入部を前記挿入口内に挿入可能としたことを特徴とする、請求項１に記載のブックカバー。
【請求項７】
前記収容槽と前記表表紙が別体の２つの部材から成る構造であることを特徴とする、請求項１に記載のブックカバー。
【考案の詳細な説明】
【技術分野】
【０００１】
本考案は、表表紙のデザインを交換でき、ノートブックを立てて置くことができる、ブックカバーに関する。
【背景技術】
【０００２】
従来のブックカバーはノートブックに被せて使用される。ノートブックは、２枚の面積が同じ外表層と、前記外表層の間に配置され、書写に使用される数枚の書写層を備える。前記ブックカバーはビニール材料で成るカバー本体を含み、前記カバー本体は、面積がノートブックの外表層より若干大きい２つの表紙シート部と、前記表紙シート部を連結する連結部と、いずれかの表紙シート部の内側表面に結合された２枚の内側シートを備え、前記内側シートの上端部、下端部、外側辺縁部がいずれも表紙シート部と粘着結合され、かつ結合された表紙シート部と共同でノートブックのいずれかの表紙を挿入するための挿入槽が形成される。
【０００３】
従来のブックカバーは、その内部に収容したノートブックを保護することはできるが、その機能はノートブックの保護だけであり、ノートブックの機能も書写だけであるため、ブックカバーとノートブックを組み合わせて成る組み合わせ物の唯一の機能も書写に供することだけとなり、その他の用途を生み出すことはできないため、使用上の機能が単調で、実用性に欠ける。
【考案の概要】
【考案が解決しようとする課題】
【０００４】
本考案が解決しようとする課題は、上述の問題を解決し、表表紙のデザインを交換可能であり、ノートブックを立てて置くことができて、フォトフレームとしての機能も有するブックカバーを提供することにある。
【課題を解決するための手段】
【０００５】
本考案のブックカバーは、ノートブックの外側を覆って被着され、表表紙、裏表紙、及び、前記表表紙と裏表紙を連結する連結面を含み、前記表表紙が透明片体を含み、かつ前記透明片体の後方に収容槽が形成され、前記収容槽の側縁に挿入口が設けられ、前記裏表紙に、起倒自在で、かつ前記挿入口に挿入可能な支持部が設けられ、前記支持部を起こして前記挿入口に挿入することにより、ノートブックを立てることができる。
【０００６】
前記裏表紙内面の連結面近くの位置にノートブックを挿入するための挿入槽を形成するのが望ましい。
前記表表紙、前記裏表紙、前記連結面の間を相互に折り曲げて、ノートブックを被覆可能としてもよい。
前記収容槽は前記連結面の方向に向けて開口しており、前記収容槽の他面は封鎖されているのが望ましい。
前記収容槽の外側に、切符やチケット等の小さい紙片を収容可能なポケット部を設けることがある。
前記支持部の前端を延伸して折り曲げ可能な插入部が設けられ、前記插入部を前記挿入口内に挿入可能としてもよい。
前記収容槽と前記表表紙が別体の２つの部材から成る構造であってもよい。
【考案の効果】
【０００７】
本考案によれば、使用者は収集した絵はがきや撮影した写真などを表表紙の収容槽内に収納し、透明片体を通して収容槽内に収納した絵や写真を外部に見えるようにして、表表紙を好みのデザインに形成すると共に、裏表紙の挿入槽にノートブックの裏表紙を挿入して、ノートブックをブックカバーで被覆することができ、しかも、収容槽内に収容した絵や写真を取り換えることにより、表表紙のデザインを簡単に交換できる。
また、支持部を起こして挿入口に挿入することにより、表表紙、裏表紙、支持部の三者で三角形の安定した構造を形成し、ノートブックを縦置きまたは横置きに立たせて、フォトフレームとしても使用することができる。
【図面の簡単な説明】
【０００８】
【図１】本考案の実施例を示すブックカバーの展開状態における斜視図である。
【図２】本考案の実施例を示すブックカバーの閉じた状態における斜視図である。
【図３】本考案の実施例を示すブックカバーのノートブックを挿入して展開した状態の斜視図である。
【図４】本考案の実施例を示すブックカバーのノートブックを挿入して閉じた状態の斜視図である。
【図５】本考案の実施例を示すブックカバーの支持部を起立した状態の斜視図である。
【図６】本考案の実施例を示すブックカバーの支持部を挿入口へ挿入した状態の斜視図である。
【図７】本考案の実施例を示すブックカバーの別角度から見た斜視図である。
【図８】本考案の別の実施例を示すブックカバーの分解斜視図である。
【考案を実施するための形態】
【０００９】
以下、本考案の実施例を図面に基づいて詳細に説明する。
図１、図２、図５、図６、図７に示すように、本考案のブックカバーは、表表紙１、裏表紙２、及び、表表紙１と裏表紙２を連結する連結面３を含み、表表紙１、裏表紙２、連結面３の間を相互に折り曲げてノートブックを被覆することができる。
表表紙１には透明片体１１が設けられ、かつ透明片体１１の後方（表表紙１の内面側）に収容槽１２が設けられる。収容槽１２は連結面３の方向に向けて開口しており、収容槽１２の他面は封鎖されている。また、収容槽１２の連結面３と逆側の側面には、収容槽１２の内外を連通する挿入口１３が形成される。
さらに、収容槽１２の表表紙１と逆の外側にポケット部１４が設けられ、ポケット部１４に切符やチケット等の小さい紙片を収容することができるようになっている。
【００１０】
裏表紙２内面の連結面３近くの位置にノートブックを挿入するための挿入槽２１が形成され、かつ、裏表紙２内面の外縁に、起倒自在で、かつ表表紙１の側縁に形成された挿入口１３に挿入可能な支持部２２が設けられる。また、支持部２２の前端部を延伸して折り曲げ可能な插入部２３が設けられ、插入部２３を挿入口１３内に挿入することにより、表表紙１、裏表紙２及び支持部２２の三者間で三角形の構造を形成し、ノートブックを縦置きまたは横置きに立たせることができる。
【００１１】
図３と図４に示すように、使用者はノートブックまたは手帳の裏表紙を裏表紙２の挿入槽２１内に挿入して、前記ノートブックまたは手帳をブックカバー内に収容することができ、使用者がノートブックまたは手帳を交換したいときは、逆の順序に操作してノートブックまたは手帳を取り出し、再び収容することで、交換を行うことができる。
【００１２】
なお、図８に示すように、収容槽１２と表表紙１とは別体の２つの部材による構造としてもよく、先に収容槽１２を完成させた後、表表紙１の透明片体１１後方に貼り合わせて固定する。このような異なる製造方法でも上述の実施例と同じ効果が得られる。
【００１３】
以上の説明から分かるように、本考案のブックカバーには次のような特徴がある。
１．使用者は収集した絵はがきや撮影した写真を表表紙の収容槽内に入れて、ブックカバーの表表紙を形成することができる。
２．使用者は支持部、表表紙及び裏表紙によって三角形の安定した構造を形成し、ブックカバーを縦置きまたは横置きに立たせ、フォトフレームの機能を果たすことができる。
【００１４】
以上は、本考案の実施例の説明であって、本考案の権利範囲を限定するものではなく、数値の変更や同等の機能を有する部材への置き換えはいずれも本考案の権利範囲に含まれる。
【符号の説明】
【００１５】
１        表表紙
１１      透明片体
１２      収容槽
１３      挿入口
１４      ポケット部
２        裏表紙
２１      挿入槽
２２      支持部
２３      插入部
３        連結面
【図１】
0003194313.tif 000003
【図２】
0003194313.tif 000004
【図５】
0003194313.tif 000005
【図６】
0003194313.tif 000006
【図７】
0003194313.tif 000007
【図８】
0003194313.tif 000008
【図３】
0003194313.tif 000009
【図４】
0003194313.tif 000010